(57)【要約】【課題】ヒートショックを防止するとともに、配線用遮断器の最大電気容量を超えることを抑制可能な２室暖房システムを提供することにある。【解決手段】浴室および浴室に隣接する洗面所を連動して暖める２室暖房システムであって、配線用遮断器を経由して電力が供給される浴室暖房機と洗面所暖房機と、浴室暖房機と洗面所暖房機の運転を制御する制御部と、浴室暖房機と洗面所暖房機の消費電力を監視し、消費電力情報を制御部に送信する監視部と、を備え、制御部は、監視部から送信される消費電力情報に基づいて配線用遮断器の許容電力以上であるか否かを判断し、浴室暖房機と洗面所暖房機の合計の消費電力が配線用遮断器の許容電力以上であると判断した場合において、配線用遮断器の許容電力以内となるように浴室暖房機および洗面所暖房機を運転するピークカットモードを実行する。【選択図】図５
2018009771.tif 000002
【特許請求の範囲】
【請求項１】
浴室および浴室に隣接する洗面所を連動して暖める２室暖房システムであって、
前記浴室に設けられ、配線用遮断器を経由して電力が供給され、前記浴室を暖める浴室暖房機と、
前記洗面所に設けられ、前記配線用遮断器を経由して電力が経由され、前記洗面所を暖める洗面所暖房機と、
前記浴室暖房機と前記洗面所暖房機の運転を制御する制御部と、
前記浴室暖房機と前記洗面所暖房機の消費電力を監視し、消費電力情報を前記制御部に送信する監視部と、を備え、
前記制御部は、前記監視部から送信される前記消費電力情報に基づいて前記配線用遮断器の許容電力以上であるか否かを判断し、前記浴室暖房機と前記洗面所暖房機の合計の消費電力が前記配線用遮断器の許容電力以上であると判断した場合において、前記配線用遮断器の許容電力以内となるように前記浴室暖房機および洗面所暖房機を運転するピークカットモードを実行する
ことを特徴とする２室暖房システム。
【請求項２】
浴室および浴室に隣接する洗面所を連動して暖める２室暖房システムであって、
前記浴室に設けられ、配線用遮断器を経由して電力が供給され、前記浴室を暖める浴室暖房機と、
前記洗面所に設けられ、前記配線用遮断器を経由して電力が経由され、前記洗面所を暖める洗面所暖房機と、
前記浴室暖房機と前記洗面所暖房機の運転を制御する制御部と、
前記浴室暖房機と前記洗面所暖房機の消費電力を監視し、消費電力情報を前記制御部に送信する監視部と、を備え、
前記制御部は、前記監視部から送信される前記消費電力情報に基づいて前記浴室暖房機の定格消費電力または前記洗面所暖房機の定格消費電力のいずれかの定格消費電力の内高い方の定格消費電力以上であるか否かを判断し、前記浴室暖房機と前記洗面所暖房機の合計の消費電力が定格消費電力の高い方の定格消費電力以上であると判断した場合は、定格消費電力の高い方の定格消費電力以内となるように前記浴室暖房機及び前記洗面所暖房機を運転するピークカットモードを実行する
ことを特徴とする２室暖房システム。
【請求項３】
前記浴室暖房機は、前記浴室暖房機の内部に取り込まれた空気を加熱する電気式の第一加熱部を有し、
前記洗面所暖房機は、前記洗面所暖房機の内部に取り込まれた空気を加熱する電気式の第二加熱部を有し、
前記制御部は、前記ピークカットモード実行時において、前記第一加熱部または前記第二加熱部への通電量を調整する
ことを特徴とする請求項１または２に記載の２室暖房システム。
【請求項４】
前記浴室暖房機は、前記浴室内の温度を上昇させる第一暖房モードを有し、
前記洗面所暖房機は前記洗面所内の温度を上昇させる第二暖房モードを有し、
前記制御部は前記第一暖房モードと前記第二暖房モードとが同時に運転されると判断すると前記ピークカットモードを実行する
ことを特徴とする請求項３に記載の２室暖房システム。
【請求項５】
前記浴室暖房機は、前記浴室内の温度を上昇させる第一暖房モードと、前記浴室内の湿度を低下させる乾燥モードを有し、
前記洗面所暖房機は、前記洗面所内の温度を上昇させる第二暖房モードを有し、
前記制御部は、前記乾燥モードと前記第二暖房モードを同時に実行すると判断した場合は、前記洗面所暖房機の通電量を前記浴室暖房機よりも高くする
ことを特徴とする請求項３に記載の２室暖房システム。
【請求項６】
前記制御部は、前記配線用遮断器の許容電力の値を変更することができる操作部を有する
ことを特徴とする請求項１に記載の２室暖房システム。
【発明の詳細な説明】
【技術分野】
【０００１】
本発明は、浴室と浴室に隣接する洗面所を温める２室暖房システムに関する。
【背景技術】
【０００２】
従来、冬場の入浴時等に暖かい室内から寒い洗面所や浴室へ移動し、熱めのお湯に入浴する一連の動作の中で、急激な温度差が身体への悪影響を及ぼすヒートショックを防止するために洗面所や浴室の温度差を無くすことを目的に洗面所や浴室双方への暖房機の設置が推奨されている。
【０００３】
下記特許文献１に、浴室および洗面所に暖房機を設置する２室暖房システムが提案されている。
【０００４】
下記特許文献１に記載された２室暖房システムは、浴室や洗面所に設けた暖房機によって、双方を強制的に暖めてヒートショックを防止することができる。さらに、暖房開始時刻を予め設定しておくことで、毎日その設定時刻に暖房運転が開始され、使用者が毎日暖房スイッチを操作する必要が無く使い勝手を良くしたものである。
【先行技術文献】
【特許文献】
【０００５】
【特許文献１】特開２００２−２２２４０号公報
【発明の概要】
【発明が解決しようとする課題】
【０００６】
上記特許文献１に記載された２室暖房システムは、ヒートショックは防止することができるが、電気式の加熱手段を使用する浴室暖房機および洗面所暖房機は消費電力が大きく、浴室と洗面所の温度差をなくすため両機器を同時運転させた場合、多くの電力を消費することにより、配線用遮断器の最大電気容量を上回り配線用遮断器によって通電が遮断される恐れがある。一方で、配線用遮断器によって通電が遮断されることを防止するために浴室暖房機や洗面所暖房機の消費電力を小さくすると、暖房性能が低下するため、冬場などにおいてはヒートショックを防止できる温度まで上昇できない恐れがある。
【０００７】
本発明はこのような課題に鑑みてなされたものであり、その目的は、ヒートショックを防止するとともに、配線用遮断器の最大電気容量を超えることを抑制可能な２室暖房システムを提供することにある。
【課題を解決するための手段】
【０００８】
上記課題を解決するために、本発明に係る２室暖房システムは、浴室および浴室に隣接する洗面所を連動して暖める２室暖房システムであって、前記浴室に設けられ、配線用遮断器を経由して電力が供給され、前記浴室を暖める浴室暖房機と、前記洗面所に設けられ、前記配線用遮断器を経由して電力が経由され、前記洗面所を暖める洗面所暖房機と、前記浴室暖房機と前記洗面所暖房機の運転を制御する制御部と、前記浴室暖房機と前記洗面所暖房機の消費電力を監視し、消費電力情報を前記制御部に送信する監視部と、を備え、前記制御部は、前記監視部から送信される前記消費電力情報に基づいて前記配線用遮断器の許容電力以上であるか否かを判断し、前記浴室暖房機と前記洗面所暖房機の合計の消費電力が前記配線用遮断器の許容電力以上であると判断した場合において、前記配線用遮断器の許容電力以内となるように前記浴室暖房機および洗面所暖房機を運転するピークカットモードを実行することを特徴とする。
【０００９】
第一の発明の２室暖房システムは、浴室暖房機と洗面所暖房機とを設け、浴室と洗面所を暖めることができるため、浴室と洗面所の温度差を低減でき、ヒートショックを防止することができる。さらに、制御部は、監視部からの浴室暖房機と洗面所暖房機の消費電力の合計値である消費電力情報を受け取り、配線用遮断器の許容電力以上である場合、許容電力以内で浴室暖房機および洗面所暖房機を運転するピークカットモードを実行することで、配線用遮断器の許容電力を超えることを抑制することができる。ピークカットモードを実行することは、もともと設置されていた浴室暖房機に加えて洗面所暖房機を追加設置する際に電源工事が容易になり、施工性が向上し、リフォーム時に好適である。
【００１０】
第二の発明の２室暖房システムは、浴室および浴室に隣接する洗面所を連動して暖める２室暖房システムであって、前記浴室に設けられ、配線用遮断器を経由して電力が供給され、前記浴室を暖める浴室暖房機と、前記洗面所に設けられ、前記配線用遮断器を経由して電力が経由され、前記洗面所を暖める洗面所暖房機と、前記浴室暖房機と前記洗面所暖房機の運転を制御する制御部と、前記浴室暖房機と前記洗面所暖房機の消費電力を監視し、消費電力情報を前記制御部に送信する監視部と、を備え、前記制御部は、前記監視部から送信される前記消費電力情報に基づいて前記浴室暖房機の定格消費電力または前記洗面所暖房機の定格消費電力のいずれかの定格消費電力の内高い方の定格消費電力以上であるか否かを判断し、前記浴室暖房機と前記洗面所暖房機の合計の消費電力が定格消費電力の高い方の定格消費電力以上であると判断した場合は、定格消費電力の高い方の定格消費電力以内となるように前記浴室暖房機及び前記洗面所暖房機を運転するピークカットモードを実行することを特徴とする。
【００１１】
第二の発明の２室暖房システムは、浴室暖房機と洗面所暖房機とを設け、浴室と洗面所を暖めることができるため、浴室と洗面所の温度差を低減でき、ヒートショックを防止することができる。さらに、制御部は、監視部からの浴室暖房機と洗面所暖房機の消費電力の合計値である消費電力情報を受け取り、浴室暖房機または洗面所暖房機の定格消費電力の内、高い方の定格消費電力以内で浴室暖房機及び洗面所暖房機を運転する。上記構成とすることで、浴室暖房機と洗面所暖房機とを単独で運転させた場合または、同時に運転させた場合の合計の消費電力が浴室暖房機または洗面所暖房機の高い方の定格消費電力を超えることを抑制でき、配線用遮断器の許容電力を超えることを抑制することができる。また、ピークカットモードを実行することは、もともと設置されていた浴室暖房機に加えて洗面所暖房機を追加設置する際に電源工事が容易になり、施工性が向上し、リフォーム時に好適である。また、もともと設置されていた洗面所暖房機に加えて浴室暖房機を設置する際も同様に電源工事が容易になり、施工性が向上し、リフォーム時に好適である。
【００１２】
第三の発明の２室暖房システムにおいて、前記浴室暖房機は、前記浴室暖房機の内部に取り込まれた空気を加熱する電気式の第一加熱部を有し、前記洗面所暖房機は、前記洗面所暖房機の内部に取り込まれた空気を加熱する電気式の第二加熱部を有し、前記制御部は、前記ピークカットモード実行時において、前記第一加熱部または前記第二加熱部への通電量を調整することを特徴とする。
【００１３】
第三の発明の構成とすることで、浴室暖房機及び洗面所暖房機での消費電力の大半は電気式の第一加熱部及び第二加熱部となる。そこで、第一加熱部または第二加熱部への通電量を調整することで、消費電力を容易に変更可能となり、配線用遮断器の許容電力や浴室暖房機または洗面所暖房機の高い方の定格消費電力以内で浴室暖房機や洗面所暖房機を運転することが容易になる。
【００１４】
第四の発明の２室暖房システムにおいて、前記浴室暖房機は、前記浴室内の温度を上昇させる第一暖房モードを有し、前記洗面所暖房機は前記洗面所内の温度を上昇させる第二暖房モードを有し、前記制御部は前記第一暖房モードと前記第二暖房モードとが同時に運転されると判断すると前記ピークカットモードを実行することを特徴とする。
【００１５】
第四の発明の構成とすることで、第一暖房モードと第二暖房モードを同時に運転してしまうと、消費電力の高い第一加熱部と第二加熱部への通電を行うことなり、浴室暖房機と洗面所暖房機の消費電力の合計が、配線用遮断器の許容電力や浴室暖房機または洗面所暖房機の高い方の定格消費電力を超えてしまう可能性が高いと判断してピークカットモードを実効することで、配線用遮断器の許容電力や浴室暖房機または洗面所暖房機の高い方の定格消費電力を超えてしまうことを防止することができる。
【００１６】
第五の発明の２室暖房システムにおいて、前記浴室暖房機は、前記浴室内の温度を上昇させる第一暖房モードと、前記浴室内の湿度を低下させる乾燥モードを有し、前記洗面所暖房機は、前記洗面所内の温度を上昇させる第二暖房モードを有し、前記制御部は、前記乾燥モードと前記第二暖房モードを同時に実行すると判断した場合は、前記洗面所暖房機の通電量を前記浴室暖房機よりも高くすることを特徴とする。
【００１７】
第五の発明の構成とすることで、乾燥モードと第二暖房モードを同時に実行すると判断した場合に洗面所暖房機の通電量を浴室暖房機よりも高くすることで、洗面所側の温度上昇に重きをおき、使用者が洗面所での歯磨き等の行為を行う際の快適性を向上させることができるとともに、浴室内の乾燥モードも継続することができるため、乾燥性能の低下も抑制できる。
【００１８】
第六の発明の前記制御部は、前記配線用遮断器の許容電力の値を変更することができる操作部を有することを特徴とする。
【００１９】
第六の発明の構成とすることで、配線用遮断器は設置される現場によって許容電力がことなるため、操作部で許容電力を変更させることで様々な現場に対応することができる。
【発明の効果】
【００２０】
本発明によれば、ヒートショックを防止するとともに、配線用遮断器の最大電気容量を超えることを抑制可能な２室暖房システムを提供することにある。
【図面の簡単な説明】
【００２１】
【図１】第一実施形態にかかる２室暖房システムを浴室および洗面所に取り付けた状態を模式的に示す図である。
【図２】第一実施形態にかかる２室暖房システムの要部構成を表すブロック図である。
【図３】第一実施形態にかかる２室暖房システムの浴室暖房機の断面を示す断面図である。
【図４】第一実施形態にかかる２室暖房システムの洗面所暖房機の断面を示す断面図である。
【図５】第一実施形態にかかる２室暖房システムの２室暖房システム１の制御を表すフローチャートである。
【図６】第二実施形態にかかる２室暖房システムの２室暖房システム１の制御を表すフローチャートである。
【発明を実施するための形態】
【００２２】
以下、添付図面を参照しながら本発明の実施の形態について説明する。説明の理解を容易にするため、各図面において同一の構成要素に対しては可能な限り同一の符合を付して、重複する説明は省略する。なお、以下に示す実施の形態によりこの発明が限定されるものではない。
【００２３】
（第一実施形態）
この浴室暖房機の配置態様及び洗面所暖房機の配置態様について図１を参照しながら説明する。図１は、第一実施形態にかかる２室暖房システムを浴室および洗面所に取り付けた状態を模式的に示す図である。
【００２４】
図１に示すように、浴室暖房機１００は、浴室２の浴室天井４に取り付けられるものである。浴室暖房機１００は、浴室２内の空気を吸い込み第一電気式加熱部１０４（以下、第一ヒータ１０４）（図１においては明示しない）を経由させて浴室２に空気を吹き出すことができる。洗面所暖房機２００は、洗面所３の洗面所天井５に取り付けられるものである。洗面所暖房機２００は、洗面所３内の空気を吸い込み第二電気式加熱部２０４（以下、第二ヒータ２０４）（図１においては明示しない）を経由させて洗面所３に空気を吹き出すことができる。浴室暖房機１００および洗面所暖房機２００は、同一の配線用遮断器Ｈに接続され、配線用遮断器Ｈは、アンペアブレーカーＶにそれぞれ接続される。また、浴室暖房機１００および洗面所暖房機２００は、制御部３００に接続され、制御部３００の信号を受けて動作する。
【００２５】
次に、浴室暖房機１００および洗面所暖房機２００の内部構成について図２を参照しながら説明する。図２は、第一実施形態にかかる２室暖房システム１の要部構成を表すブロック図である。
【００２６】
図２に示すように、浴室暖房機１００は、第一内部流路１１０と、浴室２内の温度を検出する浴室温度検出手段１０７（以下、浴室温度センサ）と、第一送風手段１０２（以下、第一ファン）と、第一ダンパ１０３と、第一ヒータ１０４と、第一排出経路１２０と、制御部３００と、を備える。第一内部流路１１０は、空気を浴室暖房機１００内に取り込む第一取込口１０１と空気を吹き出す第一吹出口１０５とを連通し、第一取込口１０１から取り込まれた空気を第一吹出口１０５へ導くことができる。第一ファン１０２は、第一取込口１０１から空気を取り込み、第一取込口１０１から取り込まれた第一内部流路１１０の空気に流れを発生させる。第一吹出口１０５は、第一吹出口１０５から空気を吹出す際の吹出し方向を決める第一ルーバ１０６を備える。
【００２７】
第一ダンパ１０３は、適宜駆動することにより、第一ファン１０２から送られてきた空気を第一吹出口１０５へ向かう第一内部流路１１０へ送る割合と、第一排出経路１２０へ送る割合と、を変更する。第一排出経路１２０は、第一ダンパ１０３において第一内部流路１１０から分岐し、第一取込口１０１から取り込まれた第一内部流路１１０の空気の少なくとも一部を浴室２の外部へ排出することができる。浴室温度センサ１０７は、第一内部流路１１０をながれる空気の温度を検出することができる。制御部３００は、第一ファン１０２と、第一ダンパ１０３と、第一ヒータ１０４と、第一ルーバ１０６の動作を制御することができる。
【００２８】
洗面所暖房機２００は、第二内部流路２１０と、洗面所３内の温度を検出する洗面所温度検出手段２０７（以下、洗面所温度センサ）と、第二送風手段２０２（以下、第二ファン）と、第二ダンパ２０３と、第二ヒータ２０４と、第二排出経路２２０と、制御部３００と、を備える。第二内部流路２１０は、空気を洗面所暖房機２００内に取り込む第二取込口２０１と空気を吹き出す第二吹出口２０５とを連通し、第二取込口２０１から取り込まれた空気を第二吹出口２０５へ導くことができる。第二ファン２０２は、第二取込口２０１から空気を取り込み、第二取込口２０１から取り込まれた第二内部流路２１０の空気に流れを発生させる。第二吹出口２０５は、第二吹出口２０５から空気を吹出す際の吹出し方向を決める第二ルーバ２０６を備える。
【００２９】
第二ダンパ２０３は、適宜駆動することにより、第二ファン２０２から送られてきた空気を第二吹出口２０５へ向かう第二内部流路２１０へ送る割合と、第二排出経路２２０へ送る割合と、を変更する。第二排出経路２２０は、第二ダンパ２０３において第二内部流路２１０から分岐し、第二取込口２０１から取り込まれた第二内部流路２１０の空気の少なくとも一部を洗面所３の外部へ排出することができる。洗面所温度センサ２０７は、第二内部流路２１０を流れる空気の温度を検出することができる。制御部３００は、第二ファン２０２と、第二ダンパ２０３と、第二ヒータ２０４と、第二ルーバ２０６の動作を制御することができる。
【００３０】
制御部３００は、浴室暖房機１００と洗面所暖房機２００に接続される。より詳細には、浴室温度センサ１０７と、第一ファン１０２と、第一ダンパ１０３と、第一ヒータ１０４と、第一ルーバ１０６と、洗面所温度センサ２０７と、第一ファン２０２と、第二ダンパ２０３と、第二ヒータ２０４と、第二ルーバ２０６とに接続される。
【００３１】
制御部３００は、浴室暖房機１００と洗面所暖房機２００の運転を制御するものであり、浴室暖房機１００にて、浴室内の温度を上昇させる第一暖房モードと、浴室内で衣類等を乾燥させるための第一乾燥モードを実行することが可能である。また、洗面所暖房機２００にて、洗面所内の温度を上昇させる第二暖房モードと、洗面所の湿度を低下させるための第二乾燥モードを実行することが可能である。
【００３２】
さらに、制御部３００は、浴室暖房機１００と洗面所暖房機２００の消費電力を算出できる消費電力算出部３１０を有している。消費電力算出部３１０は、浴室暖房機１００と洗面所暖房機２００の消費電力を算出し、算出した消費電力を制御部３００に送信する。制御部３００は、消費電力算出部３１０から受信した消費電力に基づいて、浴室暖房機１００と洗面所暖房機２００を運転する（詳細は後述する）。
なお、消費電力算出部３１０は、予め運転モード毎の消費電力を記憶させたテーブル（図示しない）に基づいて算出してもよい。
【００３３】
さらに、制御部３００は、配線用遮断器Ｈの許容電力を設定するための操作部３２０を有している。操作部３２０を操作することで、各現場に設けられる配線用遮断器Ｈの許容電力が異なる場合であっても、設置現場にあった許容電力を設定可能となる。また、操作部３２０は、許容電力の設定変更以外に、浴室暖房機１００や洗面所暖房機２００の運転のＯＮやＯＦＦを操作できるようにしてもよい。
【００３４】
次に、本実施形態の浴室暖房機１００の内部構成について図３を参照して説明する。図３は、第一実施形態にかかる２室暖房システム１の浴室暖房機１００の断面を示す断面図である。
【００３５】
図３に示すように、浴室暖房機１００は、浴室暖房機筐体１３０と、第一内部流路１１０と、浴室温度センサ１０７と、第一ファン１０２と、第一ダンパ１０３と、第一ヒータ１０４と、第一排出経路１２０と、第一ルーバ１０６を備える。第一内部流路１１０と、浴室温度センサ１０７と、第一ファン１０２と、第一ダンパ１０３と、第一ヒータ１０４と、第一排出経路１２０と、は、浴室暖房機筐体１３０の内部に設けられている。
【００３６】
次に、本実施形態の洗面所暖房機２００の内部構成について図４を参照して説明する。図４は、第一実施形態にかかる２室暖房システム１の洗面所暖房機２００の断面を示す断面図である。
【００３７】
図４に示すように洗面所暖房機２００は、洗面所暖房機筐体２３０と、第二内部流路２１０と、洗面所温度センサ２０７と、第二ファン２０２と、第二ダンパ２０３と、第二ヒータ２０４と、第二排出経路２２０と、第二ルーバ２０６を備える。第二内部流路２１０と、洗面所温度センサ２０７と、第二ファン２０２と、第二ダンパ２０３と、第二ヒータ２０４と、第二排出経路２２０と、は、洗面所暖房機筐体２３０の内部に設けられている。
【００３８】
次に、本実施形態の制御部３００のフローチャートについて図５を参照して説明する。図５は、第一実施形態にかかる２室暖房システム１の制御を表すフローチャートである。図５に示すように、浴室暖房機１００および洗面所暖房機２００が動作を開始（ステップＳ１００）すると、制御部３００は、浴室暖房機１００と洗面所暖房機２００が運転を開始したかを判断する（ステップＳ１０１）。
【００３９】
ステップＳ１０１にて、制御部３００が浴室暖房機１００と洗面所暖房機２００が同時に運転を開始していないと判断すると、浴室暖房機１００および洗面所暖房機２００を配電用遮断器Ｈの許容電力を超えないように運転する（ステップＳ１０２）。その後、操作部３２０によって予め設定された所定時間を経過するか、使用者が操作部３２０を操作するまで、運転状態を維持し、所定時間経過または使用者が操作部３２０を操作する（ステップＳ１０９）と運転が終了する（ステップＳ１１０）。
【００４０】
ステップＳ１０１にて、制御部３００が浴室暖房機１００と洗面所暖房機２００が同時に運転していると判断すると、浴室暖房機１００と洗面所暖房機２００の消費電力の総和が配線用遮断器Ｈの許容電力を超える可能性が高いと判断し、ピークカットモードを実行する（図５の破線で囲う部分がピークカットモードである）。制御部３００は、ピークカットモードを実行するにあたり、先ずはじめに浴室暖房機１００の第一暖房モードと洗面所暖房機２００の第二暖房モードに設定されているか否かを判断する（ステップＳ１０３）。
【００４１】
ステップＳ１０３にて、第一暖房モードと第二暖房モードが設定されていると判断すると、制御部３００は、消費電力算出部３１０にて算出される浴室暖房機１００と洗面所暖房機２００の消費電力の総和が配線用遮断器の許容電力よりも低くなるように浴室暖房機１００と洗面所暖房機２００への通電量を制御する。より具体的には、制御部３００は、第一ヒータと第二ヒータへの通電量を制御することで、浴室暖房機１００と洗面所暖房機２００の消費電力の総和が配線用遮断器Ｈの許容電力よりも低くなるように制御する。その後制御部３００は、上述したステップＳ１０９の条件を満たしたと判断されるまでステップＳ１０６を実行し、ステップＳ１０９の条件を満たすと運転を終了する（ステップＳ１１０）。
【００４２】
上記のように、第一暖房モードと第二暖房モードとが同時に設定されている場合は、浴室暖房機１００と洗面所暖房機２００の消費電力の総和が配線用遮断器Ｈの許容電力を超えてしまうが、浴室暖房機１００と洗面所暖房機２００の消費電力の総和を算出し、配線用遮断器Ｈの許容電力を超えないように制御することで、配線用遮断器Ｈが落ちてしまうことを防止できる。さらに、浴室暖房機１００と洗面所暖房機２００を同時に運転させることができるため、ヒートショックも防止することができる。
【００４３】
ステップＳ１０３にて第一暖房モードと第二暖房モードが設定されていないと判断すると制御部３００は、浴室暖房機１００の第一乾燥モードと洗面所暖房機２００の第二暖房モードとが設定されているか否かを判断する（ステップＳ１０４）。
【００４４】
ステップＳ１０４にて、第一乾燥モードと第二暖房モードとが設定されていると判断すると、制御部３００は、浴室暖房機１００と洗面所暖房機２００の消費電力の総和が配線用遮断器Ｈの許容電力以下となるように浴室暖房機１００と洗面所暖房機２００を運転するとともに、浴室暖房機１００の消費電力よりも洗面所暖房機２００の消費電力が高くなるように浴室暖房機１００と洗面所暖房機２００に通電する（ステップＳ１０７）。その後、制御部３００は、上述したステップＳ１０９の条件を満たしたと判断されるまでステップＳ１０７を実行し、ステップＳ１０９の条件を満たすと運転を終了する（ステップＳ１１０）。
【００４５】
上記のように、第一乾燥モードと第二暖房モードとが同時に設定されている場合において、浴室暖房機１００と洗面所暖房機２００の消費電力の総和が配線用遮断器Ｈの許容電力以内でかつ、洗面所暖房機２００の消費電力を浴室暖房機１００よりも高くすることで、洗面所側の温度上昇に重きをおき、使用者が洗面所で歯磨き等の行為を行う際の快適性を向上させることができるとともに、浴室内の第一乾燥モードも継続することができるため、乾燥性能が低下することも抑制することができる。
【００４６】
ステップＳ１０４にて、第一乾燥モードと第二暖房モードとが設定されていないと判断すると、制御部３００は、浴室暖房機１００の第一暖房モードと、洗面所暖房機２００の第二乾燥モードとが設定されているか否かを判断する（ステップＳ１０５）。
【００４７】
ステップＳ１０５にて、第一暖房モードと第二乾燥モードが設定されていると判断すると、制御部３００は、浴室暖房機１００と洗面所暖房機２００の消費電力の総和が配線用遮断器Ｈの許容電力以下となるように浴室暖房機１００と洗面所暖房機２００を運転するとともに、洗面所暖房機２００の消費電力よりも浴室暖房機１００の消費電力が高くなるように浴室暖房機１００と洗面所暖房機２００に通電する（ステップＳ１０８）。その後、制御部３００は、上述したステップＳ１０９の条件を満たしたと判断されるまでステップＳ１０８を実行し、ステップＳ１０９の条件を満たすと運転を終了する（ステップＳ１１０）。
【００４８】
ステップＳ１０５にて、第一暖房モードと第二乾燥モードが設定されていないと判断すると、制御部３００は、第一乾燥モードと第二乾燥モードとが設定されていると判断し、配電用遮断器Ｈの許容電力を超えないように運転する（ステップＳ１０２）。その後、制御部３００は、上述したステップＳ１０９の条件を満たしたと判断されるまでステップＳ１０２を実行し、ステップＳ１０９の条件を満たすと運転を終了する（ステップＳ１１０）。
【００４９】
上述したように、本発明にかかる第一実施形態とすることで、浴室暖房機１００と洗面所暖房機２００を同時運転させた際に配線用遮断器Ｈの許容電力を超えてしまい、配線用遮断器Ｈが落ちてしまうことを防止できる。また、配線用遮断器Ｈの許容電力以内で第一暖房モードと第二暖房モードとを同時に実行させることでヒートショックを防止することができる。さらに、配線用遮断器Ｈの許容電力以内で第一乾燥モードと第二暖房モードを同時に実行させることで、洗面所の温度を上昇させ、洗面所の快適性を向上させるとともに浴室内の乾燥性能が低下することも抑制することができる。
【００５０】
（第二実施形態）
次に第二実施形態にかかる２室暖房システム１のフローチャートについて図６を参照して説明する。図６は、第二実施形態にかかる２室暖房システム１のフローチャートである。なお、以下の説明では、既に説明した部分と同様の部分については、既に説明した部分と同一の符号を付し、重複する説明を省略する。
【００５１】
図６に示すように、制御部３００は、浴室暖房機１００または洗面所暖房機２００が運転される（ステップＳ１００）と浴室暖房機１００と洗面所暖房機２００が同時に運転されるか否かを判断する（ステップＳ１０１）。浴室暖房機１００と洗面所暖房機２００が同時運転されていない場合は、浴室暖房機１００および洗面所暖房機２００を浴室暖房機１００と洗面所暖房機２００の総和が浴室暖房機１００と洗面所暖房機２００の定格消費電力の高い方の定格消費電力以下で運転する（ステップＳ１０２）。その後制御部３００は、ステップＳ１０９の条件を満たすまでステップＳ１０２を維持し、ステップＳ１０９を満たすと運転を終了する（ステップＳ１１０）。
【００５２】
ステップＳ１０１にて、浴室暖房機１００と洗面所暖房機２００とが同時運転されると判断すると、ピークカットモードを実行する。ピークカットモードを実行するにあたり、まずはじめに第一暖房モードと第二暖房モードとが設定されているか否かを判断する（ステップＳ１０３）。
【００５３】
ステップＳ１０３にて、第一暖房モードと第二暖房モードとが設定されていると判断すると、制御部３００は、浴室暖房機１００と洗面所暖房機２００の消費電力の総和が浴室暖房機１００と洗面所暖房機２００の定格消費電力の高い方の定格消費電力よりも低くなるように、浴室暖房機１００と洗面所暖房機２００を運転する（ステップＳ１０６Ａ）。その後、制御部３００は、ステップＳ１０９の条件を満たすまで、ステップＳ１０６Ａを実行し、ステップＳ１０９の条件を満たすと運転を終了する。なお、図６は、説明の都合上、定格消費電力と記載しているが、この定格消費電力とは、浴室暖房機１００と洗面所暖房機２００の定格消費電力の高い方の定格消費電力を表すものとする。
【００５４】
ステップＳ１０３にて、第一暖房モードと第二暖房モードとが設定されていないと判断すると、制御部３００は、第一乾燥モードと第二暖房モードが設定されているか否かを判断する（ステップＳ１０４）。
【００５５】
ステップＳ１０４にて第一乾燥モードと第二暖房モードが設定されていると判断すると、制御部３００は、浴室暖房機１００と洗面所暖房機２００の消費電力の総和が浴室暖房機１００と洗面所暖房機２００の定格消費電力の高い方の定格消費電力よりも低くなるように、浴室暖房機１００と洗面所暖房機２００を運転するとともに、洗面所暖房機２００の消費電力が浴室暖房機１００よりも高くなるように浴室暖房機１００と洗面所暖房機２００に通電する（ステップＳ１０７Ａ）。その後、制御部３００は、ステップＳ１０９の条件を満たすまでステップＳ１０７Ａの状態を維持し、ステップＳ１０９の条件を満たすと運転を終了する。
【００５６】
ステップＳ１０４にて第一乾燥モードと第二暖房モードが設定されていないと判断すると、制御部３００は、第一暖房モードと第二乾燥モードとが設定されているか否かを判断する（ステップＳ１０５）。
【００５７】
ステップＳ１０５にて、第一暖房モードと第二乾燥モードとが設定されていると判断すると、制御部３００は、浴室暖房機１００と洗面所暖房機２００の消費電力の総和が浴室暖房機１００と洗面所暖房機２００の定格消費電力の高い方の定格消費電力よりも低くなるように、浴室暖房機１００と洗面所暖房機２００を運転するとともに、浴室暖房機１００の消費電力が洗面所暖房機２００よりも高くなるように浴室暖房機１００と洗面所暖房機２００に通電する（ステップＳ１０８Ａ）。その後、制御部３００は、ステップＳ１０９の条件を満たすまでステップＳ１０８Ａの状態を維持し、ステップＳ１０９の条件を満たすと運転を終了する。
【００５８】
ステップＳ１０５にて、第一暖房モードと第二乾燥モードが設定されていないと判断すると、制御部３００は、第一乾燥モードと第二乾燥モードが設定されていると判断し、浴室暖房機１００と洗面所暖房機２００を浴室暖房機１００と洗面所暖房機２００の総和が浴室暖房機１００と洗面所暖房機２００の定格消費電力の高い方の定格消費電力以下で運転する（ステップＳ１０２）。その後、制御部３００は、ステップＳ１０９の条件を満たすまで、ステップＳ１０２の状態を維持し、ステップＳ１０９の条件を満たすと運転を終了する。
【００５９】
上述したように、本発明にかかる第二実施形態とすることで、浴室暖房機１００と洗面所暖房機２００を同時運転させた際に浴室暖房機１００と洗面所暖房機２００の定格消費電力の高いほうの定格消費電力を超えてしまい、配線用遮断器Ｈが落ちてしまう恐れがあるが、定格消費電力の高いほうの定格消費電力以内で浴室暖房機１００と洗面所暖房機２００を制御することで配線用遮断器Ｈが落ちてしまうことを防止できる。また、浴室暖房機１００と洗面所暖房機２００の高いほうの定格消費電力以内で第一暖房モードと第二暖房モードとを同時に実行させることでヒートショックを防止することができる。さらに、浴室暖房機１００と洗面所暖房機２００の高いほうの定格消費電力以内で第一乾燥モードと第二暖房モードを同時に実行させることで、洗面所の温度を上昇させ、洗面所の快適性を向上させるとともに浴室内の乾燥性能が低下することも抑制することができる。
【００６０】
上述した浴室暖房機１００や洗面所暖房機２００を浴室２の浴室天井４や洗面所３の洗面所天井５に設置する例について説明したが、必ずしも浴室天井４や洗面所天井５に設置することを要せず、浴室２の側壁や洗面所の側壁に設置してもよい。
【００６１】
上述した制御部３００は、浴室暖房機１００や洗面所暖房機２００の内部に設けてもよいし、浴室２や洗面所３に別途リモコン等を設けても良い。
【００６２】
配線用遮断器の許容電力の値を変更する操作部３２０は、制御部３００に設けてもよいし、別途リモコン等を配置し、リモコンに設けてもよい。
【００６３】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００６４】
１  ２室暖房システム
２  浴室
３  洗面所（洗面）
４  浴室天井
５  洗面所天井
１００  浴室暖房機
１０１  第一取込口
１０２  第一送風手段（第一ファン）
１０３  第一ダンパ
１０４  第一電気式加熱部（第一ヒータ）
１０５  第一吹出口
１０６  第一ルーバ
１０７  浴室温度検出手段（浴室温度センサ）
１１０  第一内部流路
１２０  第一排出経路
１３０  浴室暖房機筐体
２００  洗面所暖房機
２０１  第二取込口
２０２  第二送風手段（第二ファン）
２０３  第二ダンパ
２０４  第二電気式加熱部（第二ヒータ）
２０５  第二吹出口
２０６  第二ルーバ
２０７  洗面所温度検出手段（洗面所温度センサ）
２１０  第二内部流路
２２０  第二排出経路
２３０  洗面所暖房機筐体
３００  制御部
３１０  監視部（消費電力算出部）
３２０  操作部
Ｖ  アンペアブレーカー
Ｈ  配線用遮断器
【図１】
2018009771.tif 000003
【図２】
2018009771.tif 000004
【図３】
2018009771.tif 000005
【図４】
2018009771.tif 000006
【図５】
2018009771.tif 000007
【図６】
2018009771.tif 000008